(57)【要約】【課題】短時間の停電が繰り返されてもランプの積算点灯時間の積算ミスを防ぐことができるようにする。【解決手段】メモリ７には、光源１の積算点灯時間情報が所定周期で書込まれる。経過時間カウント回路１１は、書込みタイミングから停電時までに経過した時間をカウントし、停電が復帰したときに、経過時間カウント回路１１がカウントした経過時間情報を、メモリ７に保持されている積算点灯時間情報に加算する。また、経過時間カウント回路は、停電時間検出回路１０が検出した停電時間情報に基づいて、書込みタイミングから復帰までの経過時間をカウントする。積算点灯時間情報が予め定めた時間設定値になったときに、制御回路６は、交換表示回路８を制御して、光源１のランプ交換を促す表示を行う。このような構成によって、停電時においても積算点灯時間の積算ミスを防ぐことができる。【選択図】        図１
2004205908.tif 000002
【特許請求の範囲】
【請求項１】
画像投射用の光源として交換可能なランプを用い、該ランプの点灯を検出する点灯検出回路と、該点灯検出回路の検出結果に基づいて前記ランプの積算点灯時間情報を記憶する記憶回路と、積算点灯時間情報が予め定めた時間設定値に達したときに所定の方法で警告を行う回路とを有する投射型画像表示装置において、該投射型画像表示装置は、前記記憶回路への前記積算点灯時間情報の書込みタイミングから停電時までに経過した時間をカウントする経過時間カウント回路を有し、停電が復帰したときに、前記経過時間カウント回路がカウントした前記経過時間情報を、前記記憶手段に保持されている前記積算点灯時間情報に加算することを特徴とする投射型画像表示装置。
【請求項２】
請求項１に記載の投射型画像表示装置において、該投射型画像表示装置は、前記積算点灯時間情報を所定の周期で前記記憶回路に記録する制御を行い、前記経過時間カウント回路は、停電時においてもカウントした経過時間情報を保持することを特徴とする投射型画像表示装置。
【請求項３】
請求項１または２に記載の投射型画像表示装置において、該投射型画像表示装置は、停電時間を検出する停電時間検出回路を有し、前記経過時間カウント回路は、前記停電時間検出回路の停電時間検出結果に基づいて前記経過時間情報をカウントすることを特徴とする投射型画像表示装置。
【請求項４】
請求項２または３に記載の投射型画像表示装置において、前記経過時間カウント回路は、経過時間カウント用コンデンサへの充電から強制的な放電に至るサイクルを前記所定の周期で繰り返し、前記充電の開始を前記記憶回路への積算点灯時間情報の書込みタイミングとし、停電が発生して復帰した際、前記経過時間カウント回路は、前記経過時間カウント用コンデンサの電圧を読み込んで、前記停電時間検出回路が検出した停電時間情報に基づいて停電時の前記経過時間カウント用コンデンサの電圧を算出し、該算出した停電時の電圧に従って、前記記憶回路への積算点灯時間情報の書込みタイミングから停電までに経過した時間をカウントすることを特徴とする投射型画像表示装置。
【請求項５】
請求項４に記載の投射型画像表示装置において、前記停電時間検出回路は、停電時間検出用コンデンサを充電しておき、停電が発生して復帰した際、前記停電時間検出用コンデンサの電圧を読み込むことにより、停電時間を算出することを特徴とする投射型画像表示装置。
【発明の詳細な説明】
【０００１】
【発明の属する技術分野】
本発明は、投射型画像表示装置、より詳細には、光源ランプの積算点灯時間を監視することによってランプの劣化による事故を回避するようにした投射型画像表示装置に関する。
【０００２】
【従来の技術】
画像に応じて光を変調し、変調後の光をスクリーンに投射して画像を表示する投射型の画像表示装置がある。このような投射型画像表示装置は、一度に多数の人に画像を提示するために利用され、近年では、比較的大画面のテレビにも用いられるようになっている。一般に、画像投射用の光を供給する光源としては、メタルハライドランプが使用される。
【０００３】
メタルハライドランプは、発光量が多く明るい画像を表示することができるという長所を有する反面、点灯によってガラスが次第に劣化していき、決められた寿命を超えて長時間点灯すると破裂するという短所も有している。この破裂の危険を避けて安全に画像表示を行うためには、ランプの点灯時間を厳格に管理する必要がある。
【０００４】
ランプの点灯時間管理の方法として、点灯時間を積算して積算時間が所定時間に達した時点で点灯を終了することが提案されている（例えば、特許文献１）。
【０００５】
従来の方法の概要を説明する。図６は従来の投射型画像表示装置の一例を説明するための図である。投射型画像表示装置は、光源１と、液晶パネル及び偏光板からなる光シャッタ２と、投射レンズ３と、光源駆動回路４と、電源リレー５と、制御回路６と、メモリ７と、交換表示回路８と、光源１の点灯検出回路９から構成されている。
【０００６】
制御回路６は、電源オンの操作信号を受けると電源リレー５をオンする。その結果、光源駆動回路４が動作して光源１が発光する。制御回路６は、点灯検出回路９により光源１の点灯時間を積算し、特定の周期でメモリ７に記録した書込み積算時間情報を更新する。制御回路６は、積算時間が所定時間以上になった場合、交換表示回路８を制御し、例えば“ランプ交換”等の文字を通常の映像信号にスーパーインポーズして光シャッタ２に表示させ、その表示画像を投射レンズ３によってスクリーン（図示せず）上に投射表示させる。
【０００７】
【特許文献１】
特開平４−５６２２号公報
【０００８】
【発明が解決しようとする課題】
上記特許文献１の技術に代表されるように、光源１の積算点灯時間情報は、所定の周期でメモリに書込まれる。メモリには、ＥＥＰＲＯＭ（電気消去型不揮発性半導体メモリ）が多く使われており、ＥＥＰＲＯＭは書換え回数に制限がある為、所定の周期で書込みを行うようにしている。この方式においては、一般に最初に装置がＡＣ電源に接続された時点で、ＥＥＰＲＯＭから積算時間情報を読み取り、その積算時間にランプ点灯時間を加算していき、加算される積算時間情報を所定の周期でメモリに書込んでいる。この為、例えば所定の周期として１０分に１回メモリに積算時間情報の書込みを行うように設定されているとき、積算時間情報の書込み後９分５９秒に停電が有った場合には書込みは行われず、停電復帰後に再度EEPROMより積算時間情報が読み取られる為、書込みから停電までの９分５９秒のランプ点灯時間は加算されないことになる。この為、例えば、９分５９秒ごとの停電が続いた場合には、これらの点灯時間が加算されず、積算時間情報が更新されないという問題が生じる。
【０００９】
本発明は、上記問題点に鑑みてなされたもので、光源ランプの積算点灯時間を所定の周期でメモリに書込みながら監視することによって、ランプの劣化による事故を回避するようにした投射型画像表示装置において、短時間の停電が繰り返されてもランプの積算点灯時間の積算ミスを防ぐことができるようにした投射型画像表示装置を提供することを目的とする。
【００１０】
【課題を解決するための手段】
第１の技術手段は、画像投射用の光源として交換可能なランプを用い、該ランプの点灯を検出する点灯検出回路と、該点灯検出回路の検出結果に基づいて前記ランプの積算点灯時間情報を記憶する記憶回路と、積算点灯時間情報が予め定めた時間設定値に達したときに所定の方法で警告を行う回路とを有する投射型画像表示装置において、該投射型画像表示装置は、前記記憶回路への前記積算点灯時間情報の書込みタイミングから停電時までに経過した時間をカウントする経過時間カウント回路を有し、停電が復帰したときに、前記経過時間カウント回路がカウントした前記経過時間情報を、前記記憶手段に保持されている前記積算点灯時間情報に加算することを特徴としたものである。
【００１１】
第２の技術手段は、第１の技術手段において、該投射型画像表示装置は、前記積算点灯時間情報を所定の周期で前記記憶回路に記録する制御を行い、前記経過時間カウント回路は、停電時においてもカウントした経過時間情報を保持することを特徴としたものである。
【００１２】
第３の技術手段は、第１または第２の技術手段において、該投射型画像表示装置は、停電時間を検出する停電時間検出回路を有し、前記経過時間カウント回路は、前記停電時間検出回路の停電時間検出結果に基づいて前記経過時間情報をカウントすることを特徴としたものである。
【００１３】
第４の技術手段は、第２または第３の技術手段において、前記経過時間カウント回路は、経過時間カウント用コンデンサへの充電から強制的な放電に至るサイクルを前記所定の周期で繰り返し、前記充電の開始を前記記憶回路への積算点灯時間情報の書込みタイミングとし、停電が発生して復帰した際、前記経過時間カウント回路は、前記経過時間カウント用コンデンサの電圧を読み込んで、前記停電時間検出回路が検出した停電時間情報に基づいて停電時の前記経過時間カウント用コンデンサの電圧を算出し、該算出した停電時の電圧に従って、前記記憶回路への積算点灯時間情報の書込みタイミングから停電までに経過した時間をカウントすることを特徴としたものである。
【００１４】
第５の技術手段は、第４の技術手段において、前記停電時間検出回路は、停電時間検出用コンデンサを充電しておき、停電が発生して復帰した際、前記停電時間検出用コンデンサの電圧を読み込むことにより、停電時間を算出することを特徴としたものである。
【００１５】
【発明の実施の形態】
以下に本発明の実施例を添付された図面を参照しながら具体的に説明する。なお、実施例を説明する図において、従来例を説明する図６と同様の機能を有する部分には同じ符号を付してある。
【００１６】
図１は、本発明による投射型画像表示装置の一実施例を説明するための図で、図６の従来の構成に加えて、停電発生から復帰までの停電時間を検出する停電時間検出回路１０と、所定の周期による積算点灯時間情報の書込みタイミングから経過した時間をカウントし、カウント情報を停電時にも保持する経過時間カウント回路１１とを備えるものである。また、図２は、停電時間検出回路１０と経過時間カウント回路１１の回路の一例を示す図、図３は、停電時間検出回路１０の動作を説明するための図、図４は経過時間カウント回路１１の動作を説明するための図である。
【００１７】
図１において、投射型画像表示装置は、光源１と、液晶パネル及び偏光板からなる光シャッタ２と、投射レンズ３と、光源駆動回路４と、電源リレー５と、制御回路６と、メモリ７と、交換表示回路８と、光源１の点灯検出回路９と、停電時間検出回路１０と、経過時間カウント回路１１とから構成されている。
【００１８】
制御回路６は、電源オンの操作信号を受けると電源リレー５をオンする。その結果、光源駆動回路４が動作して光源１が発光する。制御回路６は、点灯検出回路９により光源１の点灯時間を積算し、特定の周期でメモリ７に記録した書込み積算時間情報を更新する。制御回路６は、積算点灯時間が所定時間以上になった場合、交換表示回路８を制御し、例えば“ランプ交換”等の文字を通常の映像信号にスーパーインポーズして光シャッタ２に表示させ、その表示画像を投射レンズ３によってスクリーン（図示せず）上に投射表示させる。すなわち、交換表示回路８は、積算点灯点灯時間が予め定めた時間設定値に達したときに警告を行う回路として機能する。
【００１９】
図２において、停電時間検出回路１０は、マイコンの制御Ｉ，ＡＤ入力Ｉ，トランジスタＱ１，コンデンサＣ１，及び抵抗Ｒ１により構成される。メイン電源（主電源）がオンされると、マイコンの制御Ｉは“Ｈ”となり、トランジスタＱ１がオンして電圧ＶｃｃでコンデンサＣ１を充電する（図３参照）。そして停電が発生した場合、時間ＴｆからＣ１Ｒ１の時定数でコンデンサＣ１の電圧が放電される。そして停電の復帰時（Ｔｏ）に、コンデンサＣ１電圧を読むことで、ＴｆからＴｏまでの停電時間を検出することができる。例えば図３において、コンデンサＣ１の電圧Ｖｏ１から、Ｔｏ−Ｔｆの停電時間を上記Ｃ１Ｒ１の時定数に基づいて算出することができる。
【００２０】
図２において、経過時間カウント回路１１は、マイコンの制御II，ＡＤ入力II，制御II，トランジスタＱ２，トランジスタＱ３，コンデンサＣ２，及び抵抗Ｒ２で構成される。図４に示すように、メイン電源（主電源）がオンされると、マイコンの制御IIは“Ｈ”となり、トランジスタＱ２がオンしてＣ２Ｒ２の時定数でコンデンサＣ２を充電し、所定の書込み周期に従う書込みタイミングＴｍでメモリに積算点灯時間情報を書込んだときに、トランジスタＱ３をオンしてコンデンサＣ２の電圧を０とする。そして再度Ｃ２Ｒ２の時定数でコンデンサＣ２を充電し、同様の動作を繰り返す。
【００２１】
そして停電が発生した場合、停電発生タイミングＴｆからＣ２Ｒ２の時定数でコンデンサＣ２の電圧が放電される。そして停電の復帰時に、コンデンサＣ２の電圧Ｖｏ２を読み取り、上記停電時間検出回路１０により検出した停電時間Ｔｏ−Ｔｆ、及び上記Ｃ２Ｒ２の時定数に基づいて停電時の電圧Ｖｆを逆算する。この電圧Ｖｆに相当する時間のカウント値を書込みタイミングから停電までの経過時間情報とし、その経過時間情報に実際の点灯時間情報を加算していくことにより、所定の周期による積算点灯時間情報の書込みを実行する。
【００２２】
例えば、制御回路６が、１００時間１０分の積算点灯時間情報をメモリ７に書込んだ後、９分経過した時点で停電が発生し、その後停電が復帰した場合を考える。制御回路６は、まず最初にメモリ７から１００時間１０分の積算点灯時間情報を読み込み、次に経過時間カウント回路１１がカウントした９分の経過時間情報を読み込む。
【００２３】
制御回路６は、停電が復帰して光源１が点灯してから１分経過した時点で、メモリ７の積算点灯時間情報を１００時間２０分に補正して書込む。これにより停電によるランプ点灯時間の未加算を防ぐことができる。本発明では回路にＩＣ等を使用せず、停電時間検出回路１０と経過時間カウント回路１１では、それぞれコンデンサＣ１，Ｃ２の電圧にて時間をカウントする。停電時において、経過時間カウント回路１１のコンデンサＣ２は、ある時定数で電圧が下がるため、停電時間検出回路１０が必要になる。
【００２４】
上記の例における停電復帰時の動作は次の様になる。停電復帰した場合、制御回路６は、最初にメモリ７から１００時間１０分の積算点灯時間情報を読み込む。次に経過時間カウント回路１１よりコンデンサＣ２の電圧を読み込み、停電時間検出回路１０よりコンデンサＣ１の電圧を読み込む。そして停電時間検出回路１０のコンデンサＣ１の電圧から停電時間を算出し、その停電時間情報と経過時間カウント回路１１のコンデンサＣ２の電圧とに基づいて、書込みタイミングから停電までの経過時間をわりだす。この経過時間情報に、実際の積算点灯時間情報を加算し、予め定めた所定周期になった時点で、メモリ７に記録されている積算点灯時間情報に一周期分の積算時間情報を加算して書込む。そして以後は、書込まれた積算点灯時間情報に対して、実際の点灯時間を所定周期毎に加算していく。
【００２５】
図５は、本発明による投射型画像表示装置における停電復帰時の動作の一例を説明するためのフローチャートである。まず、メイン電源がオンされると（ステップＳ１）、停電時間検出回路１０のコンデンサＣ１の電圧と、経過時間カウント回路１１のコンデンサＣ２の電圧とを読み込む（ステップＳ２）。そしてＣ１の電圧＝０かどうかを判別し（ステップＳ３）、さらにＣ２の電圧＝０かどうかを判別する（ステップＳ４，Ｓ７）。なお、Ｃ１とＣ２の判別の順序はこれに限定されるものではない。
【００２６】
ステップＳ３でＣ１の電圧＝０であって、さらにステップＳ４でＣ２の電圧＝０である場合は、停電後に長時間経過しており、メモリ書込みの誤動作が無視できることから、メモリ７への積算時間情報の書込み周期カウントを０からスタートする（ステップＳ６）。
【００２７】
また、ステップＳ４でＣ２の電圧＝０でない場合は、メモリ書込みの動作が無視できるほど長時間が経過していないことから、書込み周期の１／２のカウント値より書込み周期をスタートする（ステップＳ５）。
【００２８】
上記ステップＳ３において、Ｃ１の電圧＝０でなく、さらにステップＳ７でＣ２の電圧＝０の場合は、停電は短時間であるが、メモリ７に積算点灯時間情報を書込んだ時に停電になったので、メモリ７への書込み周期カウントを０からスタートする（ステップＳ６）。
【００２９】
また、上記ステップＳ７でＣ２の電圧＝０でない場合は、停電が短時間で、かつ書込み周期の途中で停電となったので、Ｃ１の電圧（Ｖｏ１）から停電時間（Ｔｏ−Ｔｆ）を算出し、停電時間（Ｔｏ−Ｔｆ）とＣ２の電圧（Ｖｏ２）とに基づいて、停電時の電圧（Ｖｆ）を逆算し、逆算した停電時電圧（Ｖｆ）に相当するカウント値から書込み周期をスタートする。すなわち、カウント値の分だけ書込みタイミングから時間が経過したものとして点灯時間を積算する（ステップＳ９）。
【００３０】
【発明の効果】
以上の説明より明らかなように、本発明の投射型画像表示装置によれば、光源ランプの積算点灯時間を所定の周期でメモリに書込みながら監視することによって、ランプの劣化による事故を回避するようにした投射型画像表示装置において、短時間の停電が繰り返されてもランプの積算点灯時間の積算ミスを防ぐことができるようにした投射型画像表示装置を提供することができる。
【図面の簡単な説明】
【図１】本発明による投射型画像表示装置の一実施例を説明するための図である。
【図２】停電時間検出回路と経過時間カウント回路の回路の一例を示す図である。
【図３】停電時間検出回路の動作を説明するための図である。
【図４】経過時間カウント回路の動作を説明するための図である。
【図５】本発明による投射型画像表示装置における停電復帰時の動作の一例を説明するためのフローチャートである。
【図６】従来の投射型画像表示装置の一例を説明するための図である。
【符号の説明】
１…光源、２…光シャッタ、３…投射レンズ、４…光源駆動回路、５…電源リレー、６…制御回路、７…メモリ、８…交換表示回路、９…点灯検出回路、１０…停電時間検出回路、１１…経過時間カウント回路。
【図１】
2004205908.tif 000003
【図２】
2004205908.tif 000004
【図３】
2004205908.tif 000005
【図４】
2004205908.tif 000006
【図５】
2004205908.tif 000007
【図６】
2004205908.tif 000008